(57)【要約】【課題】歯科治療ユニットにおける各種運動エネルギーを電気エネルギーに変換して蓄電利用するようにし、歯科治療ユニットトータルで消費電気量を低く抑える。停電等の緊急事態でもユニットが急停止する事が無く、安全に診療を行うことができる。【解決手段】上下動Ａ、起倒動Ｂ、傾斜動Ｃして患者の治療位置、治療状態等を調整する治療椅子１、歯科治療に必要な水や空気（エアー）を供給するための水供給回路ＷＩ、エアー供給回路ＡＩ等を有し、更には、使用後の水を排水する排水回路ＷＯ、治療中に発生する汚物、汚水等を吸引排出する排気回路ＡＯを有する。歯科治療椅子１の動きＡＢＣに連動して駆動される発電機Ｇ1〜Ｇ3と、該発電機によって発生された電気を蓄電する蓄電器を有する。更に、水供給回路ＷＩ、エアー供給回路ＡＩ、排水回路ＷＯ、排気回路ＡＯ内を流れる水やエアーの流れによって回転される発電機Ｇ4〜Ｇ7を有する。【選択図】図１
2012071071.tif 000002
【特許請求の範囲】
【請求項１】
上下動及び起倒動可能な歯科治療椅子と、歯科治療に必要な水を供給する水供給回路と、歯科治療に必要なエアーを供給するエアー供給回路とを有する歯科治療ユニットにおいて、前記歯科治療椅子の動きに連動して駆動される発電機と、該発電機によって発生された電気を蓄電する蓄電器とを有することを特徴とする歯科治療ユニット。
【請求項２】
前記水供給回路中に配設され、該水供給回路内を流れる水流によって駆動される発電機を有し、該発電機によって発生された電気を前記蓄電器に蓄電するようにしたことを特徴とする請求項１に記載の歯科治療ユニット。
【請求項３】
前記エアー供給回路中に配設され、該エアー回路中を流れるエアーによって駆動される発電機を有し、該発電機によって発生された電気を前記蓄電器に蓄電するようにしたことを特徴とする請求項１又は２に記載の歯科治療ユニット。
【請求項４】
前記水供給回路より供給され、歯科治療において使用された後の水を排出する排水回路を有し、該排水回路中を流れる排水によって駆動される発電機を有し、該発電機によって発生された電気を前記蓄電器に蓄電するようにしたことを特徴とする請求項１乃至３のいずれかに記載の歯科治療ユニット。
【請求項５】
歯科治療中に発生する汚水、汚物等を吸引排出する排気回路を有し、該排気回路中を流れる空気によって駆動される発電機を有し、該発電機によって発生された電気を前記蓄電器に蓄電するようにしたことを特徴とする請求項１乃至４のいずれかに記載の歯科治療ユニット。
【発明の詳細な説明】
【技術分野】
【０００１】
本発明は、発電機能を有する歯科治療ユニット、より詳細には、上下動、起倒動、傾斜動（チルト）等の動きをする歯科治療椅子、歯科治療に水やエアーを用いるインスツルメントを使用する歯科治療ユニットにおいて、治療椅子の動きや、水やエアーの流れを利用して発電機を駆動し、発電した電気を蓄電器に蓄電して利用可能にし、もって、歯科治療ユニット全体での消費電気量を低く抑えることができ、更には、停電等の緊急事態でもユニットが急停止する事無く、安全に診療を止めることができ、更には、コンプレッサー等の動力源まで賄う事で、停電後でも、一定時間診療を継続することができるようにした歯科治療ユニットに関する。
【背景技術】
【０００２】
図２は、本発明が適用される歯科治療ユニットの一例を示す全体構成図で、図中、１０は歯科治療ユニットで、該ユニット１０は、治療椅子１、ワークテーブル２、スピットン３、無影灯４、インスツルメントホルダー５、フットスイッチ６、アシスタントインスツルメントホルダー７等から成り、インスツルメントホルダー５には、歯科治療において使用する種々のインスツルメント８が収納されており、周知のように、歯科治療に当り、患者は椅子１に座り、頭を安頭台９に固定して治療を受ける。治療中、術者は治療椅子１を上下動、起倒動、傾斜動等させて、患者を治療しやすい姿勢にして治療を行なう。
【０００３】
アシスタントホルダー７には、バキューム管，排唾管１１等が準備されており、治療時、患者の口腔内に生じる汚物、汚液、唾液等を吸引・排出するようにしている。このアシスタントホルダー７は、スタンドアロン式のものがあるが、図に示すように、アーム１２を通して固定部材、例えば、給排水ボックス１３に固定されているものもある。
【０００４】
図３は、従来の歯科治療ユニットにおける給排水系統の一例を説明するための要部概略構成図で、図中、３はスピットン、１１は排唾管、１４はうがい水供給管、１５は鉢洗い水供給管、１６はスピットン排水管、１７はバキュームホースで、周知のように、排唾管は歯科治療中、患者の口腔内に入れられ、口腔内の唾液、歯科治療によって生じた血液、その他の汚水を吸引排出するもの、バキューム管は口腔内の汚物等を清掃排出するものであり、これらはバキュームホース１７を通してバキュームポンプに連通されている。また、歯科治療中、又は治療後に、患者はうがい水供給管１４から噴出される水（噴水式）、或いは、うがい水供給管１４からの水をコップに受けて（コップ式）、口腔内をうがいし、うがいした水をスピットン３内に吐き捨てる。上述のごとき、うがい等によって汚れたスピットン３は、スピットン（鉢）洗い水供給管１５から供給される水で洗われ、うがい水と共に吐き出された血液、その他の汚物とともに排水管１６を通して排出される。
【０００５】
図４は、歯科治療汚水処理装置の一例を説明するための要部構成図で、図中、１８は電磁弁、１９は電磁弁、手動弁等のバルブ、２０はベンチュリー式サイフォンで、その他、図３に示した従来技術と同様の作用をする部分には図３の場合と同一の参照番号を付してある。而して、バキュームホース１７は、例えば、ベンチュリー式サイフォン管２０を通して排水管１６に連結されており、この排水管１６は気液分離器２１を介してバキュームポンプ２２に連結されている。従って、歯科ユニットから排出される全ての汚水が単一の排水管１６を通して強制的に排水され、排水系が単一化、単純化され、更には、排水が確実に行われる。また、同一フロア内に複数台の歯科治療ユニットが設置されている場合でも、図中に、１６′，１６″にて示すように排水管１６と同様の作用をする他の歯科ユニットからの排水管１６′，１６″をも単一の配水管に連結することができる。
【０００６】
上述のようにして、排水管１６内の汚水は、バキュームポンプ２２により吸引されて、気液分離装置２１に導かれ、ここで、気体と液体に分離される。分離された汚染気体は、殺菌灯等によって滅菌され、気体はフィルター２３等によって脱臭、除塵されて排出される。また、分離された汚染液体は、排水口Ａより排出され、例えば、汚水処理装置に導かれ、該汚水処理装置にて清浄にされた後、外部へ排出される。
【発明の概要】
【発明が解決しようとする課題】
【０００７】
上述のように、歯科治療ユニットは、上下動、起倒動、傾斜動して患者の治療位置、治療状態等を調整する治療椅子、歯科治療に必要な水や空気（エアー）を供給するための水供給回路やエアー供給回路を必要とし、更には、治療に使用した後の水を排水する排水回路や、治療中に発生する汚水汚物等を吸引排出する排気（バキューム）回路等を必要としている。
【０００８】
本発明は、上述のごとき、治療椅子の動き、給排水回路内の水の流れ、給排気回路内の空気の流れ等の運動エネルギーを発電機を介して電気エネルギーに変換して蓄電器に蓄え、蓄えた電気を照明器具や表示機器等の動力源として常時又は非常時に利用するようにしたものである。
【課題を解決するための手段】
【０００９】
本発明は、上記課題を解決するために、請求項１に記載の発明は、上下動及び起倒動可能な歯科治療椅子と、歯科治療に必要な水を供給する水供給回路と、歯科治療に必要なエアーを供給するエアー供給回路とを有する歯科治療ユニットにおいて、前記歯科治療椅子の動きに連動して駆動される発電機と、該発電機によって発生された電気を蓄電する蓄電器とを有することを特徴としたものである。
【００１０】
請求項２の発明は、請求項１の発明において、前記水供給回路中に配設され、該水供給回路内を流れる水流によって駆動される発電機を有し、該発電機によって発生された電気を前記蓄電器に蓄電するようにしたことを特徴としたものである。
【００１１】
請求項３の発明は、請求項１又は２の発明において、前記エアー供給回路中に配設され、該エアー回路中を流れるエアーによって駆動される発電機を有し、該発電機によって発生された電気を前記蓄電器に蓄電するようにしたことを特徴としたものである。
【００１２】
請求項４の発明は、請求項１乃至３のいずれかに記載の発明において、前記水供給回路より供給され、歯科治療において使用された後の水を排出する排水回路を有し、該排水回路中を流れる排水によって駆動される発電機を有し、該発電機によって発生された電気を前記蓄電器に蓄電するようにしたことを特徴としたものである。
【００１３】
請求項５の発明は、請求項１乃至４のいずれかに記載の発明において、歯科治療中に発生する汚水、汚物等を吸引排出する排気回路を有し、該排気回路中を流れる空気によって駆動される発電機を有し、該発電機によって発生された電気を前記蓄電器に蓄電するようにしたことを特徴としたものである。
【発明の効果】
【００１４】
本発明によると、歯科治療ユニットにおける各種運動エネルギーを電気エネルギーに変換・蓄電して利用するようにしたので、歯科治療ユニットトータルでの消費電気量を低く抑えることができる。停電等の緊急事態でもユニットが急停止する事が無く、安全に診療を行うことができる。コンプレッサー等の動力源まで賄う事で、停電後でも一定時間歯科治療が行えるなどの利点がある。
【図面の簡単な説明】
【００１５】
【図１】本発明による歯科治療ユニットの一実施例を説明するための要部概略構成図である。
【図２】本発明が適用される従来の歯科治療ユニットの一例を説明するための図である。
【図３】従来の歯科治療ユニットにおける給排水回路の一例を説明するための図である。
【図４】従来の歯科治療ユニットにおける汚水処理回路の一例を説明するための図である。
【発明を実施するための形態】
【００１６】
図１は、本発明による発電機能を有する歯科治療ユニットの一実施例を説明するための概略構成図で、歯科治療ユニット１０は、前述のように、歯科治療椅子１を有し、該歯科治療椅子１は、矢印Ａにて示すように全体を上下動する動作、矢印Ｂにて示すようにバックレスト（及びレッグレスト）を起倒する動作、矢印Ｃにて示すように倒（寝状態に）した治療椅子全体を傾斜動する動作等を行う。
【００１７】
本発明は、上述のごとき治療椅子の運動を電気エネルギーに変換して電気エネルギーとして利用するようにしたもので、図中、Ｇ1〜Ｇ3は発電機で、発電機Ｇ1は治療椅子１の上下動運動Ａを電気エネルギーに変換する発電機、Ｇ2は治療椅子１の起倒動運動Ｂを電気エネルギーに変換する発電機、Ｇ3は治療椅子１の傾斜動運動Ｃを電気エネルギーに変換する発電機で、これら発電機によって発生された電気エネルギーは共通の蓄電器（例えば、ニッカド、ニッケル水素、リチウムイオンバッテリー等の各種バッテリー）に蓄えられる。
【００１８】
歯科治療ユニット１０は、前述のように、歯科治療において、水や圧縮空気（エアー）を使用するが、図１において、ＷＩはそのための水供給回路、ＡＩはエアー供給回路で、これら水供給回路ＷＩ及びエアー供給回路ＡＩ内には水の流れによって回転する水車ＷＷＩ、空気（エアー）の流れによって回転する風車ＡＷＩ等が配設され、これら水車や風車の回転によって発電機Ｇ4，Ｇ5が回転され、発電される。これら発電機Ｇ4，Ｇ5によって発電された電気は、例えば、前記発電機Ｇ1〜Ｇ3の電気を蓄える蓄電器に蓄えられる。
【００１９】
更に、歯科治療ユニット１０は、前述のように、歯科治療に用いた水（汚水）を排出する排水回路、歯科治療中に発生した汚物、汚水等を吸引排出する排気（バキューム）回路等を有するが、図１において、ＷＯは排水回路、ＡＯは排気回路で、排水回路ＷＯには、該排水回路ＷＯ中を流れる汚水によって回転される水車ＷＷＯが、また、排気回路ＡＯには、該排気回路ＡＯ中を流れるエアーによって回転される風車ＡＷＯが配設されており、これら水車ＷＷＯ及び風車ＡＷＯによってそれぞれ回転される発電機Ｇ6，Ｇ7が設けられている。これら発電機Ｇ6，Ｇ7によって発電された電気も、好ましくは、前記発電機Ｇ1〜Ｇ5によって発電された電気と同様、同じ蓄電器に蓄電されて使用される。
【００２０】
なお、以上には、各運動エネルギーを電気エネルギーに変換するための具体的な構成に関しては記載していないが、これらは、設置場所、発電電圧等種々の条件によって異なるものであり、各条件に対して任意適切に対応可能なものであるので、その詳細については省略する。
【符号の説明】
【００２１】
１…歯科治療椅子、１０…歯科治療ユニット、Ｇ1〜Ｇ7…発電機、ＷＩ…水供給回路、ＷＯ…排水回路、ＡＩ…エアー供給回路、ＡＯ…排気（バキューム）回路、ＷＷＩ，ＷＷＯ…水車、ＡＷＩ，ＡＷＯ…風車。
【図１】
2012071071.tif 000003
【図２】
2012071071.tif 000004
【図３】
2012071071.tif 000005
【図４】
2012071071.tif 000006